(57)【要約】【課題】地震等が生じた場合に、陳列された物品の落下を防止する。【解決手段】床から起立する支柱部と、支柱部に支持され、物品を搭載する搭載面を有する棚板と、物品よりも上方において支柱部に支持され、搭載面に対向する袋状弾性体と、加圧された作動流体を収容する流体容器と、流体容器および袋状弾性体を連通させまたは遮断する流体バルブと、流体バルブを開放するバルブ駆動部とを備え、袋状弾性体は、作動流体を充填された場合に、搭載面に向かって膨張して、棚板に搭載された物品を搭載面に向かって押しつける。【選択図】図８
2010104733.tif 000002
【特許請求の範囲】
【請求項１】
床から起立する支柱部と、
前記支柱部に支持され、物品を搭載する搭載面を有する棚板と、
前記物品よりも上方において前記支柱部に支持され、前記搭載面に対向する袋状弾性体と、
加圧された作動流体を収容する流体容器と、
前記流体容器および前記袋状弾性体を連通させまたは遮断する流体バルブと、
前記流体バルブを開放するバルブ駆動部と
を備え、
前記袋状弾性体は、前記作動流体を充填された場合に、前記搭載面に向かって膨張して、前記棚板に搭載された物品を前記搭載面に向かって押しつける、
物品展示装置。
【請求項２】
前記棚板および前記袋状弾性体のセットを、複数備え、
前記バルブ駆動部は、前記バルブ駆動部の動作を制御する制御部を更に含み、
前記制御部は、前記バルブ駆動部が動作する場合に、複数の前記袋状弾性体を、前記床から遠い方から順次膨張させる、
請求項１に記載の物品展示装置。
【請求項３】
前記袋状弾性体は、前記搭載面と実質的に平行な方向に、複数配され、
前記複数の袋状弾性体の各々は、前記流体バルブが開放された場合に前記作動流体を充填されて膨張する、
請求項１または請求項２に記載の物品展示装置。
【請求項４】
前記バルブ駆動部は、前記バルブ駆動部の動作を制御する制御部を更に含み、
前記制御部は、前記バルブ駆動部が動作する場合に、前記棚板の周縁部に対向する位置に配された前記袋状弾性体を、前記棚板の中央部に対向する位置に配された前記袋状弾性体より先に膨張させる、
請求項３に記載の物品展示装置。
【請求項５】
前記流体バルブは、前記流体容器を気密に封止する封止材と、前記封止材を穿孔する穿孔部とを含む、
請求項１から請求項４までの何れか一項に記載の物品展示装置。
【請求項６】
前記袋状弾性体に充填された作動流体を排出させる排出バルブを更に備える、
請求項１から請求項５までの何れか一項に記載の物品展示装置。
【請求項７】
前記バルブ駆動部は、地震発生の通知を受信する受信機を含み、
前記受信機が前記地震発生の通知を受信した場合に、前記バルブ駆動部は前記流体バルブを開放させる、
請求項１から請求項６までの何れか一項に記載の物品展示装置。
【請求項８】
床から起立する支柱部と、
前記支柱部に支持され、物品を搭載する搭載面を有する棚板と、
前記物品よりも上方において前記支柱部に支持され、前記搭載面に対向する袋状弾性体と、
加圧された作動流体を収容する流体容器と、
前記流体容器および前記袋状弾性体を連通させまたは遮断する流体バルブと、
前記流体バルブを開放するバルブ駆動部と、
を備え、
前記棚板および前記袋状弾性体のセットが、複数配され、
前記複数の袋状弾性体の各々は、前記作動流体を充填された場合に、対向する前記搭載面に向かって膨張して、前記棚板に搭載された物品を前記搭載面に向かって押しつける物品展示装置を制御する、物品展示装置の制御方法であって、
前記バルブ駆動部が動作した場合に、前記複数の袋状弾性体を、前記床から遠い方から順次膨張させる、
物品展示装置の制御方法。
【請求項９】
床から起立する支柱部と、
前記支柱部に支持され、物品を搭載する搭載面を有する棚板と、
前記物品よりも上方において前記支柱部に支持され、前記搭載面に対向する袋状弾性体と、
加圧された作動流体を収容する流体容器と、
前記流体容器および前記複数の袋状弾性体を連通させまたは遮断する流体バルブと、
前記流体バルブを開放するバルブ駆動部と、
を備え、
前記袋状弾性体は、前記搭載面と実質的に平行な方向に、複数配され、
前記複数の袋状弾性体の各々は、前記作動流体を充填された場合に、前記搭載面に向かって膨張して、前記棚板に搭載された物品を前記搭載面に向かって押しつける物品展示装置を制御する、物品展示装置の制御方法であって、
前記バルブ駆動部が動作した場合に、前記棚板の周縁部に対向する位置に配された前記袋状弾性体を、前記棚板の中央部に対向する位置に配された前記袋状弾性体より先に膨張させる、
物品展示装置の制御方法。
【請求項１０】
作動流体を充填された場合に膨張する袋状弾性体と、
加圧された前記作動流体を収容する流体容器と、
前記流体容器および前記袋状弾性体を連通させまたは遮断する流体バルブと、
前記流体バルブを開放するバルブ駆動部と、
を備え、
前記袋状弾性体は、物品を搭載した棚板の搭載面に対向して配され、前記バルブ駆動部が動作して前記作動流体を充填された場合に、前記搭載面に向かって膨張する、
落下防止装置。
【発明の詳細な説明】
【技術分野】
【０００１】
本発明は、物品展示装置、物品展示装置の制御方法および落下防止装置に関する。
【背景技術】
【０００２】
特許文献１には、振動を検知した場合に、下方から上方へ展開するフロートを備えた載置台が記載される。これにより、地震等が発生した場合に、展示物が落下、衝突することを防止している。
【特許文献１】特開２００７−３２５８９５号公報
【発明の開示】
【発明が解決しようとする課題】
【０００３】
しかしながら、特許文献１に記載の載置台は、展開するフロートを展示物を載置する台の中に内蔵している。このため、例えば図書館、店舗等で用いられる多段の陳列棚、書架等に組み込むことは難しい。また、棚板自体の構造にも特徴があるので、既存の什器に組み込むことは難しい。更に、フロートが展示物の周囲を包囲する構造なので、展示物に合わせてフロートを調製することが求められ、コストが高くなる。
【課題を解決するための手段】
【０００４】
そこで、上記課題を解決すべく、本発明の第１の態様として、床から起立する支柱部と、支柱部に支持され、物品を搭載する搭載面を有する棚板と、物品よりも上方において支柱部に支持され、搭載面に対向する袋状弾性体と、加圧された作動流体を収容する流体容器と、流体容器および袋状弾性体を連通させまたは遮断する流体バルブと、流体バルブを開放するバルブ駆動部とを備え、袋状弾性体は、作動流体を充填された場合に、搭載面に向かって膨張して、棚板に搭載された物品を搭載面に向かって押しつける物品展示装置が提供される。
【０００５】
本発明の第２の態様として、床から起立する支柱部と、支柱部に支持され、物品を搭載する搭載面を有する棚板と、物品よりも上方において支柱部に支持され、搭載面に対向する袋状弾性体と、加圧された作動流体を収容する流体容器と、流体容器および袋状弾性体を連通させまたは遮断する流体バルブと、流体バルブを開放するバルブ駆動部とを備え、棚板および袋状弾性体のセットが、複数配され、複数の袋状弾性体の各々は、作動流体を充填された場合に、対向する搭載面に向かって膨張して、棚板に搭載された物品を搭載面に向かって押しつける物品展示装置を制御する制御方法であって、バルブ駆動部が動作した場合に、複数の袋状弾性体を、床から遠い方から順次膨張させる物品展示装置の制御方法が提供される。
【０００６】
本発明の第３の態様として、床から起立する支柱部と、支柱部に支持され、物品を搭載する搭載面を有する棚板と、物品よりも上方において支柱部に支持され、搭載面に対向する袋状弾性体と、加圧された作動流体を収容する流体容器と、流体容器および複数の袋状弾性体を連通させまたは遮断する流体バルブと、流体バルブを開放するバルブ駆動部とを備え、袋状弾性体は、搭載面と実質的に平行な方向に、複数配され、複数の袋状弾性体の各々は、作動流体を充填された場合に、搭載面に向かって膨張して、棚板に搭載された物品を搭載面に向かって押しつける物品展示装置を制御する制御方法であって、バルブ駆動部が動作した場合に、棚板の周縁部に対向する位置に配された袋状弾性体を、棚板の中央部に対向する位置に配された袋状弾性体より先に膨張させる物品展示装置の制御方法が提供される。
【０００７】
本発明の第４の態様として、作動流体を充填された場合に膨張する袋状弾性体と、加圧された作動流体を収容する流体容器と、流体容器および袋状弾性体を連通させまたは遮断する流体バルブと、流体バルブを開放するバルブ駆動部とを備え、袋状弾性体は、物品を搭載した棚板の搭載面に対向して配され、前記バルブ駆動部が動作して作動流体を充填された場合に、搭載面に向かって膨張する落下防止装置が提供される。
【０００８】
なお、上記の発明の概要は、発明の全ての特徴を列挙したものではない。また、これらの特徴群のサブコンビネーションも発明となり得る。
【発明を実施するための最良の形態】
【０００９】
以下、発明の実施の形態を通じて本発明を説明する。以下に記載する実施形態は、特許請求の範囲に係る発明を限定するものではない。また、実施形態の中で説明されている特徴の組み合わせ全てが発明の解決に必須であるとは限らない。
【実施例１】
【００１０】
図１は、陳列棚１００の形態の一例を模式的に示す斜視図である。陳列棚１００は、物品展示装置の一例であってよい。図１に示すとおり、陳列棚１００は、フレーム１１０と、棚板１２０と、天板１３０とを備える。また、陳列棚１００は、棚板１２０と、天板１３０との間に、単一または複数の棚板１４０を備えてよい。
【００１１】
フレーム１１０は、支柱部の一例であってよい。フレーム１１０は、床から起立して、棚板１２０、天板１３０および棚板１４０を支持する。フレーム１１０は、例えば、一対の支柱部材１１２と、一対の支柱部材１１２を連結する連結部材１１４と、台座部材１１６とを有してよい。支柱部材１１２には、例えば、金属、樹脂、木材等の剛性の高い材料が用いられる。支柱部材１１２は、例えば、中空または断面がＣ型の角材であってよい。支柱部材１１２には、複数の係止孔１１３が形成されてよい。係止孔１１３は、天板１３０または棚板１４０を固定するのに用いられる。連結部材１１４には、例えば、金属、樹脂、木材等の剛性の高い材料が用いられる。連結部材１１４は、例えば、断面がコの字型またはＣ型の角材であってよい。
【００１２】
台座部材１１６は、例えば、実質的に水平になるように配され、支柱部材１１２を支持する。台座部材１１６には、アジャスタ１１８が設けられてよい。アジャスタ１１８により、台座部材１１６が実質的に水平になるように、フレーム１１０を設置できる。台座部材１１６には、例えば、金属、樹脂、木材等の剛性の高い材料が用いられる。台座部材１１６は、例えば、中空または断面がＣ型の角材を用いて、長方形の枠状に形成されてよい。本実施形態において、台座部材１１６の幅方向Ｗの両端には、一対の支柱部材１１２が、実質的に水平方向と垂直になるように配されてよい。一対の支柱部材１１２は、台座部材１１６の背面側に配されてよい。
【００１３】
以上の構成により、床から起立するフレーム１１０が得られる。なお、本実施形態において、支柱部として、枠状のフレーム１１０を用いる場合について説明したが、支柱部はこれに限定されない。例えば、支柱部は、板状の部材であってよい。また、本実施形態において、支柱部として、床の上に自立するフレーム１１０を用いる場合について説明したが、支柱部はこれに限定されない。例えば、支柱部は、床面と天井との間で固定されて起立してもよく、壁面に固定されて起立してもよい。
【００１４】
棚板１２０は、フレーム１１０に支持され、物品を搭載する搭載面１２４を有する。本実施形態において、棚板１２０は、フレーム１１０の台座部材１１６に支持される。棚板１２０には、例えば、金属、樹脂、木材等の剛性の高い材料が用いられる。
【００１５】
天板１３０は、棚板１２０の上方に位置して、フレーム１１０に支持される。天板１３０は、横板部材１３２と、支持部材１３８とを有してよい。横板部材１３２は、その下面が、棚板１２０の搭載面１２４または下方に隣接する棚板１４０の上面と実質的に平行になるように配されてよい。支持部材１３８は、横板部材１３２を支持する。支持部材１３８は、フレーム１１０の係止孔１１３に支持されてよい。横板部材１３２および支持部材１３８には、例えば、金属、樹脂、木材等の剛性の高い材料が用いられる。
【００１６】
以上の構成により、横板部材１３２は、支持部材１３８を介して、フレーム１１０に支持される。天板１３０は、支持部材１３８を介して、フレーム１１０に固定されてもよく、直接、フレーム１１０に固定されてもよい。
【００１７】
棚板１４０は、フレーム１１０の支柱部材１１２に沿って、棚板１２０の搭載面１２４と横板部材１３２の下面との間に配されてよい。棚板１２０と天板１３０との間には、支柱部材１１２に沿って、高さ方向Ｈに複数の棚板１４０が配されてよい。棚板１４０は、横板部材１４２と、支持部材１４８とを有してよい。横板部材１４２の上面には、陳列品等の物品が搭載されてよい。横板部材１４２は、その下面が、棚板１２０の搭載面１２４または下方に隣接する棚板１４０の上面と実質的に平行になるように配されてよい。
【００１８】
支持部材１４８は、横板部材１４２を支持する。支持部材１４８は、フレーム１１０の係止孔１１３に支持されてよい。横板部材１４２および支持部材１４８には、例えば、金属、樹脂、木材等の剛性の高い材料が用いられる。以上の構成により、横板部材１４２は、支持部材１４８を介して、フレーム１１０に支持される。棚板１４０は、支持部材１４８を介して、フレーム１１０に固定されてもよく、直接、フレーム１１０に固定されてもよい。
【００１９】
なお、本実施形態においては、棚板１２０と天板１３０との間に、複数の棚板１４０が配される場合について説明したが、陳列棚１００はこれに限定されない。例えば、棚板１２０と天板１３０との間に、単一の棚板１４０が配されてもよく、棚板１４０が配されなくてもよい。
【００２０】
図２は、陳列棚１００の形態の一例を模式的に示す側面図である。図２に示すとおり、陳列棚１００は、外部電源と陳列棚１００とを電気的に結合する電源コード２３１と、展開部材２４０と、配管２８０とを備える。横板部材１３２は、上面１３４および下面１３６を含む。また、横板部材１４２は、搭載面１４４および下面１４６を含む。電源コード２３１は、外部電源と陳列棚１００とを電気的に結合する。配管２８０は、展開部材２４０を膨張させる作動流体を展開部材２４０に供給する。また、支柱部材１１２と連結部材１１４とは、ボルト１１５によって連結されてよい。
【００２１】
図２に示すとおり、展開部材２４０は、搭載面１４４または搭載面１２４に搭載された物品よりも上方において、フレーム１１０に支持される。例えば、展開部材２４０は、天板１３０の下面１３６、または、棚板１４０の下面１４６に支持されてよい。即ち、展開部材２４０は、天板１３０または棚板１４０を介して、フレーム１１０に支持されてよい。
【００２２】
展開部材２４０は、搭載面１４４または搭載面１２４に対向するように配されてよい。例えば、天板１３０の下面１３６に支持される展開部材２４０は、支柱部材１１２に沿って隣接する棚板１４０の搭載面１４４に対向するように配されてよい。また、支柱部材１１２に沿って棚板１２０に隣接する棚板１４０の下面１４６に支持される展開部材２４０は、棚板１２０の搭載面１２４に対向するように配されてよい。即ち、本実施形態において、陳列棚１００は、棚板１２０および搭載面１２４に対向する展開部材２４０のセットと、棚板１４０および搭載面１４４に対向する展開部材２４０のセットとを備える。
【００２３】
展開部材２４０は袋状の形状を有して、内部に作動流体が充填されると下方の搭載面１２４に向かって膨張する。例えば、天板１３０の下面１３６に支持される展開部材２４０は、支柱部材１１２に沿って隣接する棚板１４０の搭載面１４４に向かって膨張する。また、支柱部材１１２に沿って棚板１２０に隣接する棚板１４０の下面１４６に支持される展開部材２４０は、棚板１２０の搭載面１２４に向かって膨張する。展開部材２４０は、膨張して、搭載面１４４または搭載面１２４に搭載されている物品を、搭載面１４４または搭載面１２４にに向かって押し付ける。
【００２４】
膨張した状態における展開部材２４０の形状は、球状、半球状、長球状、偏球状、直方体状、円錐台状、四角錐台状など任意の形状を採用できる。また、膨張した状態において、展開部材２４０の下面の中央付近に凹部が形成されてよい。展開部材２４０は、内部に作動流体が充填される前は、折りたたまれて収納されてもよい。なお、図２は、展開部材２４０が折りたたまれて収納されている状態を示す。
【００２５】
展開部材２４０には、例えば、ゴムコート布、シリコンコート布、ノンコート布等のエアバッグに使用できる材料を用いてよい。また、展開部材２４０には、シリコンゴム等の弾性材料を用いてもよい。展開部材２４０は、内部に流体が充填されると搭載面１２４に向かって膨張する袋状体の一例であってよい。また、展開部材２４０の材料として弾性材料を用いた場合には、展開部材２４０は袋状弾性体の一例であってよい。
【００２６】
展開部材２４０に弾性材料を用いた場合には、展開部材２４０と、搭載面１２４または搭載面１４４に陳列されている物品との接触面積が、展開部材２４０に弾性材料を用いない場合と比較して大きくなり、物品をより保護できる。展開部材２４０が上記物品の形に応じて変形するので、展開部材２４０が物品を破損することを抑制できる。また、既存の棚にも容易に設置できる。
【００２７】
なお、本実施形態において、複数の棚板１４０のそれぞれに展開部材２４０が支持される場合、即ち、陳列棚１００が、複数の棚板１４０の下面１４６に支持された複数の展開部材２４０を備える場合について説明したが、陳列棚１００はこれに限定されない。例えば、複数の棚板１４０のうち、一部の棚板１４０に、展開部材２４０が配されてもよい。
【００２８】
図３は、陳列棚１００の形態の一例を模式的に示す背面図である。図３に示すとおり、本実施形態において、展開部材２４０のそれぞれに、配管２８０が接続される。なお、図には示されていないが、本実施形態において、台座部材１１６の内部には、圧縮空気等のガスを収容するガスボンベと、当該ガスボンベおよび展開部材２４０を連通させまたは遮断するバルブと、バルブの開閉状態を制御する起動部とが配されている。配管２８０は、上記ガスボンベと展開部材２４０とを、上記バルブを介して接続する。
【００２９】
図４は、陳列棚１００に設けられる落下防止装置２００の一例を模式的に示す図である。落下防止装置２００は、陳列棚１００に設けられる落下防止装置の一例であってよい。図４は、落下防止装置２００を、横板部材１３２と、支柱部材１１２に沿って横板部材１３２に隣接する横板部材１４２と、横板部材１４２の上に搭載された陳列品１０と、ともに示す。陳列品１０は、物品の一例であってよい。以下、図４を用いて、横板部材１３２の下面１３６に配された展開部材２４０を例として、落下防止装置２００について説明する。なお、図４は、展開部材２４０が膨張していない状態を示す。
【００３０】
図４では、落下防止装置２００に関する説明を簡略化する目的で、陳列棚１００の一部の構成しか示していない。しかし、図１から図３に関連して説明したとおり、陳列棚１００は、棚板１２０と天板１３０との間に、フレーム１１０の支柱部材１１２に沿って４枚の棚板１４０を備え、それぞれの棚板１４０の下面１４６には、展開部材２４０が配される。棚板１４０の下面１４６に配された展開部材２４０は、下面１３６に配された展開部材２４０と同様の構成を有してよい。
【００３１】
落下防止装置２００は、例えば、地震が発生した場合に、陳列棚１００に搭載された陳列品１０が陳列棚１００から落下することを抑制する。図４に示すとおり、落下防止装置２００は、起動部２０２と、展開部材２４０と、ガスボンベ２５０と、バルブ２６０と、バルブ２７０と、配管２８０とを有してよい。
【００３２】
起動部２０２は、地震発生を感知した場合、または、振動を感知した場合に、バルブ２６０を開放する。起動部２０２は、地震発生の通知を受けることで地震発生を感知してよい。地震発生の通知は、有線で通知されてもよく、無線で通知されてもよい。地震発生の通知は、緊急地震速報であってよい。起動部２０２は、バルブ駆動部の一例であってよい。起動部２０２は、制御部２１０と、受信機２２０と、アンテナ２２２と、電源部２３０と、電源コード２３１とを含んでよい。
【００３３】
制御部２１０は、起動部２０２の動作を制御する。例えば、制御部２１０は、起動部２０２が地震発生または振動を感知した場合にバルブ２６０を開放するように、起動部２０２を制御する。例えば、制御部２１０は、受信機２２０から緊急地震速報を受信した旨の信号が入力されると、バルブ２６０を開放させる駆動信号を生成して、当該駆動信号をバルブ２６０に出力してよい。
【００３４】
これにより、起動部２０２は、受信機２２０が緊急地震速報等の地震発生の通知を受信した場合にバルブ２６０を開放させることができる。起動部２０２が緊急地震速報により地震発生を感知できるので、地震の振動が到達する前、または、地震の振動が激しくなる前に、バルブ２６０を開放させることができる。制御部２１０は、電源部２３０と電気的に結合され、電源部２３０から電力を供給されてよい。
【００３５】
受信機２２０は、地震発生の通知を受信する。地震発生の通知は、緊急地震速報であってよい。受信機２２０は、電波を受信するアンテナ２２２と接続される。受信機２２０は、アンテナ２２２を介して地震発生の通知を受信すると、地震発生の通知を受信した旨の信号を生成して、制御部２１０に出力してよい。受信機２２０は、電源部２３０と電気的に結合され、電源部２３０から電力を供給されてよい。
【００３６】
電源部２３０は、制御部２１０および受信機２２０と電気的に結合され、制御部２１０および受信機２２０に電力を供給する。電源部２３０は、電源コード２３１を介して、外部電源と電気的に結合されてよい。電源部２３０は、二次電池、燃料電池、発電機などを備えてもよい。これにより、停電時であっても電力を供給できる。
【００３７】
ガスボンベ２５０は、加圧された作動流体を収容する。ガスボンベ２５０は、流体容器の一例であってよい。ガスボンベ２５０は、市販の高圧ボンベを利用できる。作動流体は、不燃性の気体、毒性の低い気体、または、展開部材２４０、ガスボンベ２５０、バルブ２６０もしくは配管２８０に対する腐食性の低い気体であってよい。作動流体は、空気、炭酸ガスまたは窒素ガスであってよい。作動流体として空気を用いた場合には、毒性および腐食性が低く、安全に使用できる。作動流体として炭酸ガス、窒素ガスなどの不燃性の気体を用いた場合には、地震発生に伴い、火災が発生した場合であっても、より安全に使用できる。
【００３８】
バルブ２６０は、展開部材２４０およびガスボンベ２５０を連通させまたは遮断する。バルブ２６０は、流体バルブの一例であってよい。バルブ２６０は、制御部２１０から上記駆動信号が入力される前は、閉止状態であってよい。即ち、展開部材２４０およびガスボンベ２５０の間の流体の流れを遮断してよい。一方、バルブ２６０は、制御部２１０から上記駆動信号が入力されると、開放状態となってよい。即ち、展開部材２４０およびガスボンベ２５０を連通させてよい。これにより、ガスボンベ２５０から展開部材２４０に作動流体が供給され、展開部材２４０に作動流体が充填される。
【００３９】
バルブ２６０は、電磁弁、または、空気式もしくはオイル式アクチュエータを有する自動弁であってよい。バルブ２６０は、弁体の移動により、流体の流れまたは流量を調整するバルブに限定されるものではなく、閉止状態において流路を密封する封止部材を有して、上記駆動信号が入力されると上記封止部材を開封するものを含む。これにより、閉止状態における、ガスボンベ２５０からの作動流体の漏れを抑制できる。
【００４０】
バルブ２７０は、展開部材２４０、配管２８０等に充填された作動流体を排出させる。バルブ２７０は、配管２８０の一部に配されてよい。バルブ２７０は、排出バルブの一例であってよい。バルブ２７０は、市販のバルブを利用できる。排出バルブは、配管２８０の内部の圧力が所定の圧力より大きくなると、作動流体を排出させてよい。これにより、展開部材２４０に充填された作動流体を排出して、天板１３０の下面１３６または棚板１４０の下面１４６に展開部材２４０を再度収納することで、落下防止装置２００を再使用できる。
【００４１】
以上の構成により、落下防止装置２００は、起動部２０２が地震発生の通知を受けて動作した場合に、ガスボンベ２５０に収容された作動流体を展開部材２４０に供給して、展開部材２４０を膨張させる。天板１３０の下面１３６に配された展開部材２４０は、作動流体を充填された場合に、下方の横板部材１４２の搭載面１４４に向かって膨張する。そして、棚板１４０の横板部材１４２に搭載された陳列品１０を、横板部材１４２の搭載面１４４に向かって押し付ける。これにより、地震発生時に、陳列品１０が棚板１４０から落下することを抑制できる。
【００４２】
落下防止装置２００が受信機２２０を備える場合には、落下防止装置２００は、緊急地震速報のような通知を受信して、展開部材２４０を膨張させることができる。これにより、地震波が到達する前、または、地震による振動が弱い段階で、展開部材２４０を膨張させて、陳列品１０の落下をより効果的に防止できる。また、落下防止装置２００は、バルブ２７０から作動流体を排出するまで、陳列品１０を横板部材１４２の搭載面１４４に向かって押し付けることができるので、地震等の振動が長時間続いた場合であっても、陳列品１０の落下を抑制できる。
【００４３】
なお、本実施形態では、地震発生の感知方法として、緊急地震速報等の地震発生の通知を受信する場合について説明したが、地震発生の感知方法は、これに限定されない。例えば、地震発生の感知方法の他の例としては、図４には示されていないが、起動部２０２が地震の振動を感知する感振器を含み、感振器により地震発生を感知してもよい。また、本実施形態では、起動部２０２が地震発生の通知を受信して、バルブ２６０を開放させる場合について説明したが、起動部２０２の作動方法はこれに限定されない。例えば、手動で起動部２０２を作動させて、バルブ２６０を開放させてもよい。
【００４４】
また、本実施形態では、落下防止装置２００が加圧された作動流体を収容するガスボンベ２５０を有して、収納した作動流体を展開部材２４０に供給することで展開部材２４０を膨張させる場合について説明したが、展開部材２４０を膨張させる方法は、これに限定されない。例えば、制御部２１０から出力された駆動信号に基づいて火薬などのガス発生材を燃焼または爆発させ、燃焼または爆発により発生したガスにより、展開部材２４０を膨張させてもよい。
【００４５】
図５は、電源部２３０の一例を模式的に示すブロック図である。電源部２３０は、変換部２３２と、充電回路２３４と、二次電池２３６を含んでよい。変換部２３２は、外部電源が交流電源である場合に、交流を直流に変換する。充電回路２３４は、二次電池２３６の充電を制御する。二次電池２３６は、平常時には、外部電源から電力を供給されて充電される。これにより、地震発生時に、停電が発生した場合であっても、制御部２１０、受信機２２０などに電力を供給できる。なお、電源部２３０の他の例としては、一次電池であってもよい。
【００４６】
図６は、バルブ２６０の一例を模式的に示す断面図である。図６は、閉止状態におけるバルブ２６０を示す。バルブ２６０は、ボディー部材２６２と、封止部材２６４と、電熱ヒータ２６６とを有する。ボディー部材２６２は、ガスボンベ２５０と配管２８０との間に配される。ボディー部材２６２は、内部に、ガスボンベ２５０と配管２８０とを連結する流路２６１を有する。ボディー部材２６２の内部には、流路２６１の流入側および流出側に溝２６３が形成される。ボディー部材２６２は、金属製であってよい。
【００４７】
封止部材２６４は、流路２６１の少なくとも一部に配され、閉止状態において、流路２６１を封止する。封止部材２６４は、ガスボンベ２５０を気密に封止する。封止部材２６４は、半田または樹脂などの、熱により溶解する材料であってよい。封止部材２６４は、封止材の一例であってよい。封止部材２６４の内部には、電熱ヒータ２６６が埋設されてよい。電熱ヒータ２６６の一端は、ボディー部材２６２を介して接地され、電熱ヒータ２６６の他端は、電源部２３０と電気的に結合されてよい。
【００４８】
制御部２１０より、バルブ２６０に上記駆動信号が入力されると、電熱ヒータ２６６が発熱して、封止部材２６４の少なくとも一部を溶解させて、封止部材２６４を穿孔する。これにより、バルブ２６０が開放され、展開部材２４０およびガスボンベ２５０が、配管２８０を介して連通される。電熱ヒータ２６６は、穿孔部の一例であってよい。
【００４９】
図７は、図４に関連して説明した展開部材２４０が展開する過程の一例を模式的に示す断面図である。図７は、図４と同様に、落下防止装置２００を、横板部材１３２と、支柱部材１１２に沿って横板部材１３２に隣接する横板部材１４２と、横板部材１４２の上に搭載された陳列品１０と、ともに示す。なお、図７では、図４と同様に、落下防止装置２００に関する説明を簡略化する目的で、陳列棚１００の一部の構成しか示していない。
【００５０】
図７に示すとおり、展開部材２４０は、押付面２４２と、屈曲部２４４とを有する。押付面２４２は、膨張した状態で、陳列品１０と接触する面であってよい。押付面２４２は、展開部材２４０の内部に作動流体が充填されて膨張するときに、周縁部２４６から先に膨張してよい。例えば、展開部材２４０が押付面２４２の中央近傍が内側に窪むような形状を有する場合には、周縁部２４６から先に膨張する。また、周縁部２４６から先に膨張するように、配管２８０を展開部材２４０に取り付けてもよい。これにより、展開部材２４０の膨張時に陳列品１０が陳列棚１００から転落することを、より抑制できる。
【００５１】
押付面２４２には、保護シート２４８が配されてよい。保護シート２４８は、例えば、シリコンゴム製のシートであってよい。これにより、押付面２４２が陳列品１０を接触して破損することを防止できる。屈曲部２４４は、展開部材２４０を折りたたむときの折り目であってよい。展開部材２４０は、収納時に屈曲部２４４が内側になるように折りたたまれて収納されてよい。
【００５２】
図８は、図４に関連して説明した展開部材２４０が展開した様子の一例を模式的に示す断面図である。図８は、図４と同様に、落下防止装置２００を、横板部材１３２と、支柱部材１１２に沿って横板部材１３２に隣接する横板部材１４２と、横板部材１４２の上に搭載された陳列品１０と、ともに示す。なお、図８では、図４と同様に、落下防止装置２００に関する説明を簡略化する目的で、陳列棚１００の一部の構成しか示していない。
【００５３】
図８に示すとおり、横板部材１３２に配された展開部材２４０は、支柱部材１１２に沿って隣接する棚板１４０の搭載面１４４に向かって膨張して、上記の棚板１４０の搭載面１４４に搭載されている物品を、当該棚板１４０の搭載面１４４に向かって押し付ける。これにより、陳列品１０の落下を抑制できる。また、押付面２４２がシリコンゴム等の弾性材料を含む場合には、押付面２４２が陳列品１０同士の隙間に入り込むことができるので、陳列品１０同士の接触または陳列品１０の転倒を抑制できる。
【００５４】
図９は、落下防止装置３００の一例を模式的に示す図である。落下防止装置３００は、陳列棚１００に設けられる落下防止装置の他の一例であってよい。図９は、落下防止装置３００を、棚板１２０と、横板部材１３２と、横板部材１４２と、陳列品１０と、ともに示す。以下、図９を用いて、陳列棚１００の制御方法について説明する。
【００５５】
図９では、陳列棚１００の制御方法および落下防止装置３００に関する説明を簡略化する目的で、陳列棚１００の一部の構成しか示していない。また、説明を簡略化する目的で、棚板１２０と横板部材１３２との間に、３枚の横板部材１４２が配される場合を例として、説明する。
【００５６】
図９に示すとおり、落下防止装置３００は、起動部３０２と、展開部材３４２、展開部材３４４、展開部材３４６および展開部材３４８と、ガスボンベ３５２、ガスボンベ３５４、ガスボンベ３５６およびガスボンベ３５８と、バルブ２６０と、配管３８２、配管３８４、配管３８６および配管３８８とを備えてよい。図９は、展開部材３４２、展開部材３４４、展開部材３４６および展開部材３４８が膨張する前の状態を示す。なお、図９において、展開部材３４２、展開部材３４４、展開部材３４６および展開部材３４８が膨張した状態を点線で示す。
【００５７】
展開部材３４２、展開部材３４４、展開部材３４６および展開部材３４８は、展開部材２４０と同様の構成を有してよい。ガスボンベ３５２、ガスボンベ３５４、ガスボンベ３５６およびガスボンベ３５８は、ガスボンベ２５０と同様の構成を有してよい。また、配管３８２、配管３８４、配管３８６および配管３８８は、配管２８０と同様の構成を有してよい。そこで、これらの詳細については、説明を省略する。なお、図には示されていないが、配管３８２、配管３８４、配管３８６および配管３８８のそれぞれには、バルブ２７０が配されてもよい。
【００５８】
本実施形態では、展開部材３４２は、横板部材１３２に支持され、配管３８２を介してガスボンベ３５２と接続される。配管３８２とガスボンベ３５２との間には、バルブ２６０が配される。展開部材３４４は、横板部材１３２に隣接する横板部材１４２に支持され、配管３８４を介してガスボンベ３５４と接続される。配管３８４とガスボンベ３５４との間には、バルブ２６０が配される。展開部材３４６は、上記横板部材１４２に隣接する横板部材１４２に支持され、配管３８６を介してガスボンベ３５６と接続される。配管３８６とガスボンベ３５６との間には、バルブ２６０が配される。展開部材３４８は、棚板１２０に隣接する横板部材１４２に支持され、配管３８８を介してガスボンベ３５８と接続される。配管３８８とガスボンベ３５８との間には、バルブ２６０が配される。
【００５９】
起動部３０２は、複数の遅延タイマー３１２を含み、ガスボンベ３５２、ガスボンベ３５４、ガスボンベ３５６およびガスボンベ３５８のそれぞれに設けられたバルブ２６０の開閉状態を制御する以外は、起動部２０２と同様の構成を有してよい。起動部３０２は、制御部２１０と、受信機２２０と、アンテナ２２２と、電源部２３０と、電源コード２３１と、遅延タイマー３１２を含む。起動部３０２の制御部２１０は、起動部３０２が動作する場合に、展開部材３４２、展開部材３４４、展開部材３４６および展開部材３４８を、横板部材１３２に近い方から順次膨張させる。
【００６０】
遅延タイマー３１２は、例えば、ガスボンベ３５４、ガスボンベ３５６およびガスボンベ３５８のそれぞれに設けられたバルブ２６０と、制御部２１０との間に配される。例えば、バルブ２６０の各々と制御部２１０との間に設けられる遅延タイマー３１２の個数を調整することで、制御部２１０が駆動信号を出力してから、バルブ２６０の各々が動作を開始するまでの時間を調整できる。例えば、本実施形態においては、ガスボンベ３５２、ガスボンベ３５４、ガスボンベ３５６、ガスボンベ３５８の順に、遅延タイマー３１２の個数が増えるので、この順にバルブ２６０が開放される。
【００６１】
これにより、棚板１４０がフレーム１１０にしっかりと固定されていない場合であっても、落下防止装置３００が動作した場合の衝撃で、棚板１４０がフレーム１１０から脱落することを防止できる。例えば、本実施形態では、展開部材３４２が膨張した後で、展開部材３４４が膨張する。
【００６２】
即ち、フレーム１１０に固定された横板部材１３２に支持された展開部材３４２が膨張して、横板部材１３２に隣接する横板部材１４２に向かって陳列品１０を押し付けた状態で、横板部材１３２に隣接する横板部材１４２に支持された展開部材３４４が膨張する。展開部材３４４が膨張して陳列品１０を下方に押し付けると、横板部材１３２に隣接する横板部材１４２には上向きの力が加えられるが、当該横板部材１４２には展開部材３４２から下向きの力が加えられているので、上記の横板部材１４２が陳列棚１００から落下することを防止できる。
【００６３】
図１０は、落下防止装置４００の一例を模式的に示す図である。落下防止装置４００は、陳列棚１００に設けられる落下防止装置の他の一例であってよい。図１０は、落下防止装置４００を、棚板１２０と、横板部材１３２と、横板部材１４２と、陳列品１０と、ともに示す。以下、図１０を用いて、陳列棚１００の制御方法について説明する。
【００６４】
図１０では、図９と同様に、陳列棚１００の制御方法および落下防止装置４００に関する説明を簡略化する目的で、陳列棚１００の一部の構成しか示していない。また、図９と同様に、棚板１２０と横板部材１３２との間に、３枚の横板部材１４２が配される場合を例として、説明する。
【００６５】
図１０に示すとおり、落下防止装置４００は、配管の配置により展開部材３４２、展開部材３４４、展開部材３４６および展開部材３４８の膨張する順番を制御する点で落下防止装置３００と相違する。落下防止装置４００は、展開部材３４２、展開部材３４４、展開部材３４６および展開部材３４８と、ガスボンベ２５０と、バルブ２６０と、配管４８０とを備えてよい。図１０は、展開部材３４２、展開部材３４４、展開部材３４６および展開部材３４８が膨張する前の状態を示す。なお、図１０において、展開部材３４２、展開部材３４４、展開部材３４６および展開部材３４８が膨張した状態を点線で示す。
【００６６】
図１０に示すとおり、本実施形態において、展開部材３４２、展開部材３４４、展開部材３４６および展開部材３４８が、この順に、配管４８０と接続されている。これにより、起動部２０２が動作してバルブ２６０が開放されると、ガスボンベ２５０に収容されていた作動流体が、展開部材３４２、展開部材３４４、展開部材３４６、展開部材３４８の順に流入する。その結果、落下防止装置３００と同様に、展開部材３４２、展開部材３４４、展開部材３４６および展開部材３４８を、横板部材１３２に近いほうから順次膨張させることができ、棚板１４０がフレーム１１０にしっかりと固定されていない場合であっても、落下防止装置４００が動作した場合の衝撃で、棚板１４０がフレーム１１０から脱落することを防止できる。
【００６７】
以上、図９および図１０を用いて、展開部材３４２、展開部材３４４、展開部材３４６および展開部材３４８をこの順で膨張させる方法について説明したが、当該方法は、これらに限定されない。例えば、図９において、展開部材３４２、展開部材３４４、展開部材３４６および展開部材３４８のそれぞれに、ガスボンベ３５２、ガスボンベ３５４、ガスボンベ３５６およびガスボンベ３５８を準備する代わりに、展開部材３４２、展開部材３４４、展開部材３４６および展開部材３４８のそれぞれとバルブ２６０との間に、作動流体の流入を制御するバルブを設けて、当該バルブの開放順序を制御してもよい。
【００６８】
図１１は、補助器具５１０の形態と使用方法を示す図である。図９および図１０に関連して、展開部材３４２、展開部材３４４、展開部材３４６および展開部材３４８を膨張させる順序により、棚板１４０がフレーム１１０から脱落することを防止する方法について説明した。補助器具５１０は、棚板１４０をフレーム１１０に固定する。これにより、落下防止装置２００、落下防止装置３００または落下防止装置４００が動作した場合の衝撃で、棚板１４０がフレーム１１０から脱落することを防止できる。補助器具５１０は、挿入部材５１２と、挿入部材５１２と対向する側に設けれる押付部材５１４とを含む。補助器具５１０には、金属、樹脂、木材等の剛性の高い材料が用いられる。
【００６９】
棚板１４０は、支持部材１４８の係止部１４９がフレーム１１０の係止孔１１３に挿入されることで、フレーム１１０に支持されている。係止孔１１３と係止部１４９との間には、棚板１４０の装着または取り外しが容易にできるように隙間が設けられている。そこで、上記隙間に補助器具５１０の挿入部材５１２を挿入して、支持部材１４８をフレーム１１０に固定する。このとき、押付部材５１４は、支持部材１４８に支持された横板部材１４２を支持部材１４８に向かって押し付けて固定する。
【００７０】
以上の構成により、補助器具５１０は、棚板１４０をフレーム１１０に固定できる。なお、フレーム１１０に固定された棚板１４０は、支持部の一例であってよい。また、上記棚板１４０の横板部材１４２の下面１４６は、支持面の一例であってよい。
【００７１】
図１２は、落下防止装置６００の一例を模式的に示す図である。落下防止装置６００は、陳列棚１００に設けられる落下防止装置の他の一例であってよい。図１２は、落下防止装置６００を、横板部材１３２と、支柱部材１１２に沿って横板部材１３２に隣接する横板部材１４２と、横板部材１４２の上に搭載された陳列品１０と、ともに示す。
【００７２】
図１２に示すとおり、落下防止装置６００は、起動部２０２と、ガスボンベ２５０と、バルブ２６０と、バルブ２７０と、展開部材６４２、展開部材６４４および展開部材６４６と、配管６８０、配管６８２、配管６８４および配管６８６を備える。落下防止装置６００は、展開部材２４０の代わりに展開部材６４２、展開部材６４４および展開部材６４６を備え、配管２８０の代わりに配管６８０、配管６８２、配管６８４および配管６８６を備える以外は、落下防止装置２００と同様の構成を有してよい。展開部材６４２、展開部材６４４および展開部材６４６のそれぞれは、展開部材２４０と同様の構成を有してよい。
【００７３】
本実施形態において、展開部材６４２、展開部材６４４および展開部材６４６は、横板部材１３２の下面１３６に沿って配される。展開部材６４２および展開部材６４６は、横板部材１３２の周縁部の近傍に配される。即ち、展開部材６４２および展開部材６４６は、横板部材１３２の周縁部に対向する位置に配される。展開部材６４４は、展開部材６４２および展開部材６４６の間に配される。
【００７４】
図１２に示すとおり、配管６８０は配管６８２および配管６８４に分岐して、それぞれ、展開部材６４２および展開部材６４６に接続される。これにより、展開部材６４２は、配管６８０および配管６８２を介してガスボンベ２５０と接続される。展開部材６４６は、配管６８０および配管６８４を介してガスボンベ２５０と接続される。展開部材６４４は、配管６８０、配管６８４、展開部材６４６および配管６８６を介してガスボンベ２５０と接続される。
【００７５】
展開部材６４２、展開部材６４４および展開部材６４６の各々は、展開部材２４０と同様に、バルブ２６０が開放された場合に作動流体を充填されて膨張する。１つの展開部材２４０で陳列品１０を押さえつける場合と比較して、展開部材６４２、展開部材６４４および展開部材６４６に分割して陳列品１０を押さえつけることで、均一に押さえつけることができる。
【００７６】
また、配管６８０、配管６８２、配管６８４および配管６８６が上記の通り配されているので、展開部材６４２および展開部材６４６は、展開部材６４４より先に膨張する。即ち、本実施形態において、起動部２０２は、棚板１４０の周縁部に対向する位置に配された展開部材６４２および展開部材６４６を、棚板１４０の中央部に対向する位置に配された展開部材６４４より先に膨張させる。これにより、展開部材６４４が膨張したときには、展開部材６４２および展開部材６４６が膨張しているので、展開部材６４４が膨張することにより陳列品１０が陳列棚１００から転落することを抑制できる。
【００７７】
なお、本実施形態において、配管の構成により展開部材６４２、展開部材６４４および展開部材６４６を膨張させる順番を制御する方法について説明したが、上記制御方法は、これに限定されない。例えば、落下防止装置３００と同様の構成を採用して、制御部２１０で制御してもよい。
【００７８】
また、本実施形態において、展開部材６４２、展開部材６４４および展開部材６４６が、横板部材１３２の長さ方向Lに沿って配される場合について説明したが、展開部材６４２、展開部材６４４および展開部材６４６の配置方法は、これに限定されない。例えば、展開部材６４２、展開部材６４４および展開部材６４６が、横板部材１３２の幅方向Wに沿って配されてもよく、横板部材１３２の下面１３６にマトリックス状に配されてもよい。
【００７９】
図１２では、落下防止装置２００に関する説明を簡略化する目的で、陳列棚１００の一部の構成しか示していない。しかし、図１から図３に関連して説明したとおり、陳列棚１００は、棚板１２０と天板１３０との間に、フレーム１１０の支柱部材１１２に沿って４枚の棚板１４０を備える。棚板１４０の搭載面１４４にも、同様に、展開部材６４２、展開部材６４４および展開部材６４６が配されてよい。
【００８０】
以上の記載によれば、落下防止装置２００、落下防止装置３００、落下防止装置４００または落下防止装置６００を備えた陳列棚１００が開示される。また、上記の陳列棚１００を制御する制御方法が開示される。
【００８１】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【００８２】
特許請求の範囲、明細書、および図面中において示した装置、システム、プログラム、および方法における動作、手順、ステップ、および段階等の各処理の実行順序は、特段「より前に」、「先立って」等と明示していない限り、また、前の処理の出力を後の処理で用いない限り、任意の順序で実現し得ることに留意すべきである。特許請求の範囲、明細書、および図面の動作フローに関して、便宜上「まず、」、「次に、」等を用いて説明したとしても、この順で実施することが必須であることを意味するものではない。
【図面の簡単な説明】
【００８３】
【図１】陳列棚１００の形態の一例を模式的に示す斜視図である。
【図２】陳列棚１００の形態の一例を模式的に示す側面図である。
【図３】陳列棚１００の形態の一例を模式的に示す背面図である。
【図４】陳列棚１００の落下防止装置２００の一例を模式的に示す図である。
【図５】電源部２３０の一例を模式的に示すブロック図である。
【図６】バルブ２６０の一例を模式的に示す断面図である。
【図７】展開部材２４０が展開する過程の一例を模式的に示す断面図である。
【図８】展開部材２４０が展開した様子の一例を模式的に示す断面図である。
【図９】落下防止装置３００の一例を模式的に示す図である。
【図１０】落下防止装置４００の一例を模式的に示す図である。
【図１１】補助器具５１０の形態と使用方法を示す図である。
【図１２】落下防止装置６００の一例を模式的に示す図である。
【符号の説明】
【００８４】
１０  陳列品
１００  陳列棚
１１０  フレーム
１１２  支柱部材
１１３  係止孔
１１４  連結部材
１１５  ボルト
１１６  台座部材
１１８  アジャスタ
１２０  棚板
１２４  搭載面
１３０  天板
１３２  横板部材
１３４  上面
１３６  下面
１３８  支持部材
１４０  棚板
１４２  横板部材
１４４  搭載面
１４６  下面
１４８  支持部材
１４９  係止部
２００  落下防止装置
２０２  起動部
２１０  制御部
２２０  受信機
２２２  アンテナ
２３０  電源部
２３１  電源コード
２３２  変換部
２３４  充電回路
２３６  二次電池
２４０  展開部材
２４２  押付面
２４４  屈曲部
２４６  周縁部
２４８  保護シート
２５０  ガスボンベ
２６０  バルブ
２６２  ボディー部材
２６１  流路
２６３  溝
２６４  封止部材
２６６  電熱ヒータ
２７０  バルブ
２８０  配管
３００  落下防止装置
３０２  起動部
３１２  遅延タイマー
３４２  展開部材
３４４  展開部材
３４６  展開部材
３４８  展開部材
３５２  ガスボンベ
３５４  ガスボンベ
３５６  ガスボンベ
３５８  ガスボンベ
３８２  配管
３８４  配管
３８６  配管
３８８  配管
４００  落下防止装置
４８０  配管
５１０  補助器具
５１２  挿入部材
５１４  押付部材
６００  落下防止装置
６４２  展開部材
６４４  展開部材
６４６  展開部材
６８０  配管
６８２  配管
６８４  配管
６８６  配管
【図１】
2010104733.tif 000003
【図２】
2010104733.tif 000004
【図３】
2010104733.tif 000005
【図４】
2010104733.tif 000006
【図５】
2010104733.tif 000007
【図６】
2010104733.tif 000008
【図７】
2010104733.tif 000009
【図８】
2010104733.tif 000010
【図９】
2010104733.tif 000011
【図１０】
2010104733.tif 000012
【図１１】
2010104733.tif 000013
【図１２】
2010104733.tif 000014